(57)【要約】  【課題】低コスト，低スペース化したノード型光送受信装置を提供する。  【解決手段】光ケーブル５０を固定する固定部材４２と，同軸ケーブルにより高周波信号が入出力される端子４５，４６とを有する筐体４０と，その筐体内の底面に配設されたマザーボード３０とを有する，光信号と電気信号との変換が可能なノード型光送受信装置１において，上記マザーボードには，第１の副光受信部を金属製の第１のケースに配設した主光受信ユニット１０と第１の副光送信部を金属製の第２のケースに配設した主送信ユニット２０が着脱自在に固着され，上記マザーボードには，第２の副光受信部１００と第２の副光送信部２００を内蔵させ，上記主光受信ユニット１０と第２の副光受信部１００は，上記マザーボードに内蔵させた切換手段３１で切換可能に構成する。このノード型光送受信装置１を用いた双方向ＣＡＴＶシステム。  【選択図】  図１
2005039553.tif 000002
【特許請求の範囲】
【請求項１】
光ケーブルを通過させ固定する固定部材と，同軸ケーブルにより高周波電気信号が入出力される端子とを有する箱型の筐体と，その筐体内の底面に配設されたマザーボードとを有する，光信号と電気信号との変換が可能なノード型光送受信装置において，
上記マザーボードの外表面上には，第１の下り回線信号用光受信部を金属製の第１のケースに配設した下り回線信号用光受信ユニットと，第１の上り回線信号用光送信部を金属製の第２のケースに配設した上り回線信号用送信ユニットが着脱自在に固着され，
上記マザーユニットの外表面上には，第２の下り回線信号用光受信部と第２の上り回線信号用光送信部を内蔵させ，
上記下り回線信号用光受信ユニットと第２の下り回線信号用光送信部は，上記マザーボードに内蔵させた切換手段で選択的に切換可能に構成され，
上記下り回線信号用光受信ユニットを主受信ユニットとし，上記下り回線信号用光受信部を副光受信部としたときに，
上記主光受信ユニットが正常動作している時は，マザーボードに内蔵させた上記副光受信部は動作しないように構成されると共に，上記主光受信ユニットが異状動作になった時，若しくは上記光受信ユニットを取り外した時には，上記副光受信部が動作するように上記切換手段が自動的に切換わるように構成されたことを特長としたノード型光送受信装置。
【請求項２】
請求項１に記載のノード型光送受信機を用いたことを特徴とした双方向ＣＡＴＶシステム。
【発明の詳細な説明】
【技術分野】
【０００１】
本発明は，双方向ＣＡＴＶシステムにおける光信号の中継に可能な中継器に関するもので，低コスト，省スペース化したノード型光送受信機の構造と，このノード型光送受信装置を用いた双方向ＣＡＴＶシステムに関する。
【背景技術】
【０００２】
従来の光送受信装置は，光受信部や下り回線信号用増幅部等からなる下り回線用光受信部と，光送信部や上り回線信号用増幅部からなる上り回線信号用光送信部を夫々ユニット化して，当該ユニットを筐体内の底面に配設したマザーボードに配設して光送受信装置を構成していた。（例えば，特許文献１参照）
この光送受信装置において，二重化された光ファイバーの断線等によって光信号が停波した場合や，上記ユニットが故障した場合に備えて，下り回線信号用光受信ユニット及び上り回線信号用送信ユニットに夫々主ユニットと副ユニットを設けて，信号の停波時に主副の切換えを行って，信号が停波しないように光送受信装置を構成していた，
また，上記主ユニットを介して副ユニットが接続され，主ユニットが故障した場合など副ユニットに切換わって信号が停波するのを防止するように構成されたものもあった。
【０００３】
【特許文献１】特開平８−１５４２４１号公報
【発明の開示】
【発明が解決しようとする課題】
【０００４】
しかし，従来の光送受信機によれば，上り回線信号用送信ユニットと下り回線信号用光受信ユニットとを夫々ユニット化して，主ユニットと副ユニットを切換えて使用するように構成した光送受信機は，マザーボードに最大４ユニットを備える必用があるため，筐体が大きくなると共に，延いてはコストが高くつくといった問題があった。
また，主ユニットを介して副ユニットを接続する方法では，主ユニットが故障して，副ユニットに切換わって運用している場合，マザーボードが小さくでき全体的に小さくすることができるが，主ユニットの交換に際して信号が停波するといた問題があった。
そこで本願においては，こうした問題点を解決するためになされたものであり，
その目的は，低コスト，低スペース化したノード型光送受信装置を提供することにある。
他の目的は，主ユニットが故障した時に，停波せずとも主ユニットが交換化の可能なノード型光送受信装置を提供することにある。
他の目的は，省電力な構成としたノード型光送受信機を提供することにある。
他の目的は，主ユニットが故障した時に自動的に副ユニットに切換わるノード型光送受信装置を提供することにある。
他の目的は，小型で省電力で，主ユニットの故障や，主ユニットに光信号が入力されなくても停波することなく副ユニットに切換わると共に，主ユニットの取り換え工事においても停波せずに工事可能なノード型光送受信装置を用いた双方向ＣＡＴＶシステムを提供することにある。
【課題を解決するための手段】
【０００５】
上記課題を解決するために，請求項１の発明は，光ケーブルを通過させ固定する固定部材と，同軸ケーブルにより高周波電気信号が入出力される端子とを有する箱型の筐体と，その筐体内の底面に配設されたマザーボードとを有する，光信号と電気信号との変換が可能なノード型光送受信装置において，上記マザーボードの外表面上には，第１の下り回線信号用光受信部を金属製の第１のケースに配設した下り回線信号用光受信ユニットと，第１の上り回線信号用光送信部を金属製の第２のケースに配設した上り回線信号用送信ユニットが着脱自在に固着され，上記マザーユニットの外表面上には，第２の下り回線信号用光受信部と第２の上り回線信号用光送信部を内蔵させ，上記下り回線信号用光受信ユニットと第２の下り回線信号用光送信部は，上記マザーボードに内蔵させた切換手段で選択的に切換可能に構成され，上記下り回線信号用光受信ユニットを主受信ユニットとし，上記下り回線信号用光受信部を副光受信部としたときに，上記主光受信ユニットが正常動作している時は，マザーボードに内蔵させた上記副光受信部は動作しないように構成されると共に，上記主光受信ユニットが異状動作になった時，若しくは上記光受信ユニットを取り外した時には，上記副光受信部が動作するように上記切換手段が自動的に切換わるように構成される。
【０００６】
請求項２の発明は，請求項１に記載のノード型光送受信機を用いて双方向ＣＡＴＶシステムを構成される。
【発明の効果】
【０００７】
以上詳述したように，請求項１の発明によれば，光ケーブルを通過させ固定する固定部材と，同軸ケーブルにより高周波電気信号が入出力される端子とを有する箱型の筐体と，その筐体内の底面に配設されたマザーボードとを有する，光信号と電気信号との変換が可能なノード型光送受信装置において，上記マザーボードの外表面上には，第１の下り回線信号用光受信部を金属製の第１のケースに配設した下り回線信号用光受信ユニットと，第１の上り回線信号用光送信部を金属製の第２のケースに配設した上り回線信号用送信ユニットが着脱自在に固着され，上記マザーユニットの外表面上には，第２の下り回線信号用光受信部と第２の上り回線信号用光送信部を内蔵させ，上記下り回線信号用光受信ユニットと第２の下り回線信号用光送信部は，上記マザーボードに内蔵させた切換手段で選択的に切換可能に構成され，上記下り回線信号用光受信ユニットを主受信ユニットとし，上記下り回線信号用光受信部を副光受信部としたときに，上記主光受信ユニットが正常動作している時は，マザーボードに内蔵させた上記副光受信部は動作しないように構成されると共に，上記主光受信ユニットが異状動作になった時，若しくは上記光受信ユニットを取り外した時には，上記副光受信部が動作するように上記切換手段が自動的に切換わるように構成したので，筐体４０を小型に形成でき，延いてはコストダウンが実現でき，更に，主回線が停波した時は自動的に副回線に切換わることによって，加入者に対するサービスが停止することがなくなるのである。更に加えて使用していない副回線側に電力供給はなされず，これによって消費電力を低減することができるといった，光ケーブルの二重化に対応した小型で，低消費電力で，コストダウンしたノード型光送受信装置を提供できるのである。
【０００８】
請求項３の発明によれば，請求項１に記載のノード型光送受信機を用いて双方向ＣＡＴＶシステムを構成したので，小型で省電力なノード型光送受信装置を用いることができ，取付性の容易性や経済性の面での優位性を有するＣＡＴＶシステムが実現できる。また，主光受信ユニットや主光送信ユニットが故障したり，主回線の光ファイバが断線して光信号が途切れたりしても停波することなく副光受信ユニットや副光送信ユニットに切換わると共に，主ユニットの取り換え工事においても停波せずに工事可能であり，加入者に対するサービスを途切れさすことの無い双方向ＣＡＴＶシステムを提供できる。
【発明を実施するための最良の形態】
【０００９】
以下に，本発明を具体化した実施形態の例を，図面を基に詳細に説明する。
【実施例１】
【００１０】
図１（ａ）は，本発明における構成を示す組立斜視図，（ｂ）組立後の斜視図である。但し筐体に被せる蓋体は簡略化のため図示されていない。
この図において１はノード型光送受信機を示す。１０は主下り回線信号用光受信ユニット（以下，主光受信ユニットと記載する。）であり，金属製の材料で形成された第１のケースに第１の下り回線信号用光受信部の回路が搭載されており，マザーボード３０に形成された取付口３０ａに嵌合され，当該取付向３０ａに着脱自在に任意の手段でもって固着される。また，第１のケース１０ａの一側面側には，光信号をケース１０ａ内の第１の下り回線信号用光受信部の回路に引き込むための光端子１１が配設されている。
２０は主上り回線信号用送信ユニット（以下，主光送信ユニットと記載する。）であり，金属製の材料で形成された第２のケース２０ａに第１の上り回線信号用光送信部の回路が搭載されており，マザーボード３０に形成された取付口３０ｂに嵌合され，当該取付向３０ｂに着脱自在に任意の手段でもって固着される。また，第２のケース２０ａの一側面側には，光信号を当該第２のケース２０ａ内に配設された第１の上り回線信号用光送信部の回路から，光信号を送出するための光端子２１が配設されている。
【００１１】
３０はマザーボード，４０は筐体であり，当該筐体４０の左側面４１には，光ケーブル５０を筐体４０の内部に引き込んで気密に固着するための固着部材４２と，ＡＣ電源を筐体４０の内部に引き込むための第１のＡＣ入力端子４３が設けられている。
また，筐体４０の右側面４４には，高周波電気信号を入出力するための第１の接続端子４５，第２の接続端子４６と，ＡＣ電源を筐体４０の内部に引き込むための第２のＡＣ入力端子４７が設けられている。
【００１２】
図２に本願のノード型光送受信装置１の概略回路図を示す。主光受信ユニット１０には光信号を電気信号に変換する光／電気（Ｏ／Ｅ）変換器１２，増幅器１３，分岐器１４等からなる第１の下り回線信号用光送信部が第１の金属ケース１０ａ内部に配設されており，この第１のケース１０ａの外面側に配設された高周波電気信号を送出する接続コネクタＣ１と，マザーボードに配設された接続コネクタＣ１´とを接続するように，主光受信ユニット１０は上記マザーボード３０に形成された取付口３０ａに挿着され，着脱自在に任意の方法で固着されている。
【００１３】
マザーボード３０は筐体４０の内面側の底面４０−１に配設されており，光信号を電気信号に変換するＯ／Ｅ変換器１０２，増幅器１０４等からなる第２の下り回線信号用光受信部（以下，副光受信部と記載する。）１００がマザーボード内部に配設されている。上記Ｏ／Ｅ変換器１０２に光信号を引き込むための光コネクタ１０１はマザーボード３０上に配設されるように構成されている。また，マザーボード３０には，上記主光受信ユニット１０から接続端子Ｃ１，Ｃ１´を介して送出された高周波電気信号と，上記副光受信部１００から送出された，高周波電気信号との経路を選択的に切換可能とした切換手段３１と，当該切換手段３１の出力側に接続されたハイパスフィルター３２（ＨＰＦ）と分配器３３と，当該分配器３３の分配端子に接続された電源分離フィルター３４，３５からなる下り回線信号用の伝送経路が配設されている。
尚，本願の主・副光受信部には主としてＯ／Ｅ変換器と増幅器とからなるように構成したが，この実施例に限定されるものではなく，例えば，復調レベル調整回路，ＡＧＣ回路やＭＧＣ回路を設けても良いし，スロープ調整回路等を備えさせても良い。
【００１４】
更にマザーボード３０には，電源分離フィルター３４，３５と，夫々の電源フィルターに接続された合成器３３と，当該記合成器３３と上記ＨＰＦ３２との相互接続点に接続されたローパスフィルター３６（ＬＰＦ）と分配器３７とからなる上り回線信号用の伝送経路と，上記分配器３７の一方の出力端には，上り帯域の高周波電気信号を増幅する増幅器２０２，電気信号を光信号に変換するＥ／Ｏ変換器２０４等からなる第２の上り回線信号用光送信部（以下，副光送信部と記載する。）２００が配設されている。このＯ／Ｅ変換器２０４から光信号を取り出すための光コネクタ２０１はマザーボード上に配設されるように構成されている。
【００１５】
更に，分配器３７の他方の出力端は，主光送信ユニット２０に接続されるように配設されている。
上記主光送信ユニット２０には高周波電気信号を増幅する増幅器２２，分岐器２３，電気信号を光信号に変換する電気／光（Ｅ／Ｏ）変換器２４等からなる第１の上り回線信号用光送信部が第２の金属性ケース２０ａ内部に配設されており，この主光送信ユニット２０は，ケース２０ａの外側に配設され，高周波電気信号を入力する接続コネクタＣ２と，マザーボードに配設され高周波電気信号を出力する接続コネクタＣ２´とを接続するように，上記マザーボード３０に形成された取付口３０ｂに挿着され，着脱自在に任意の方法で固着されている。
【００１６】
尚，本願の主・副光受信部には主として増幅器とＥ／Ｏ変換器からなるように構成したが，この実施例に限定されるものではなく，例えば変調レベル調整回路やスロープ調整回路等を備えさせても良い。
【００１７】
また，マザーボード３０は本願の実施例では，筐体４０内側の底面４０−１の大きさとほぼ同じとなるように一体的に形成されているが，複数個に分けて形成しても良い。例えば筐体４０内面の左側面方向には第１のマザーボードを配設し，右側面方向には第２のマザーボードを配設するようにしてもよく，この場合，第１のマザーボードには上記主光受信ユニット１０と上記主光送信ユニット２０をネジ等の固着手段で着脱自在に取付けできるように構成すると共に，第２のマザーボードには，切換手段３１と，当該切換手段３１の出力側に接続されたＨＰＦ３２と分配器３３と，当該分配器３３の分配端子に接続された電源分離フィルター３４，３５からなる下り回線信号用の伝送経路と，電源分離フィルター３４，３５と，夫々の電源フィルターに接続された合成器３３と，当該記合成器３３と上記ＨＰＦ３２との相互接続点に接続されたＬＰＦ３６と分配器３７とからなる上り回線信号用の伝送経路を配設し，更には，第２のマザーボードと上記主光受信ユニット１０と上記主送信ユニット２０の夫々の外表面上であって，相対抗する位置に接続コネクタＣ１´，Ｃ１とＣ２´，Ｃ２とを配設して接続できるように構成すると共に，各ユニット１０，２０を第２のマザーボードにネジ等の固着手段で着脱自在に取付けできるように構成しても良い。
【００１８】
電源分離フィルター３４，３５は夫々第１の接続端子４５，第２の接続端子４６に接続されて，当該接続端子から高周波電気信号が入出力される。また上記電源分離フィルターに接続された電流通過切換手段３８，３９は電流通過の経路を選択するものであり，５８はＡＣ入力端子４７から電源ユニットへＡＣ入力する場合の選択手段である。
【００１９】
筐体４０の左側面４１に配設した固着部材４２からは，筐体４０の内部に光ケーブル５０が引き込まれている。光ケーブル５０は４本の光ファイバ５０ａ，５０ｂ，５０ｃ，５０ｄを有している。光ファイバ５０ａは主光受信ユニット１０に備えられた光端子１１に接続され，光ファイバ５０ｂは副光受信部１００に光信号を引き込むための光端子１０１に接続されている。
光ファイバ５０ｃは主光送信ユニット２０に備えられた光アダプタ２１に接続され，光ファイバ５０ｄは副光送信部２００から光信号を引き出すための光コネクタ２０１に接続されている。
尚，この時筐体内部には光ファイバ収容部５１が備えられており，余長の光ファイバは光ファイバ収容部５１に適宜収容されている。
【００２０】
筐体４０に備えた第１及び第２のＡＣ入力端子４３，４７は外部電源装置からのＡＣ電源を入力するための端子であり，本発明の実施例によれば，第１のＡＣ入力端子４３から入力されるＡＣ電源は，電源ユニットのＡＣ入力端子切換手段５６を介してＡＣ−ＤＣ変換回路５７に供給され，当該ＡＣ−ＤＣ変換回路から各部に電源供給される。
電流通過経路切換手段３８，３９は電流通貨の経路を切換えるための切換手段であり，本願の実施例では第２の接続端子４６から第１の接続端子４５へ電流通過させる例を示している。
尚，上記電源ユニットは，筐体４０の蓋体４０−２に配設されている。（図１には簡略化のため図示されていない）
【００２１】
次に本発明の特長部分について詳しく説明する。
光ケーブル５０は筐体４０に形成された固着部材でもって固着され筐体内部に引きこまれる。筐体内に引き込まれた光ケーブル５０は４本の光ファイバを有しており，下り信号用に２本，上り信号用に２本用いて光ファイバの二重化がなされている。下り信号用の光ファイバ５０ａは主光受信ユニット１０の光端子１１に接続されている。光端子１１から入力された光信号は，Ｏ／Ｅ変換器１２において復調され高周波電気信号に変換される。この時，Ｏ／Ｅ変換器１２に光信号が入力された状態にあるときは，そのＯ／Ｅ変換器から所定のレベルの信号が信号線１２ａを介してステイタスモニタ５５，制御手段５９に出力される。光信号が入力されない状態にあるときは，Ｏ／Ｅ変換器からは信号が出されないように構成されている。
次にＯ／Ｅ変換器１２から出力された高周波電気信号は，下り回線の帯域を増幅する増幅器１３でもって所定レベルまで増幅されて接続コネクタＣ１から出力される。
更に上記増幅器１３と接続コネクタＣ１との間には，分岐器１４が介設されており，当該分岐器１４の分岐出力端子１４ａから出力される下り信号は，信号線１４ｂを介してステイタスモニタユニット５５に接続されている。
【００２２】
接続コネクタＣ１から出力された下り信号は，マザーボード３０に配設された接続コネクタＣ１´を介してマザーボード内に引き込まれる。こうして引き込まれた下り信号は切換手段３１に接続される。
【００２３】
もう一本の下り信号用の光ファイバ５０ｂはマザーボード上に配設された光端子１０１に接続されており，当該光端子１０１からマザーボード内に配設された副光受信ユニット１００に光信号が引き込まれている。光端子から入力された光信号はＯ／Ｅ変換器１０２によって復調され高周波電気信号に変換される。次にＯ／Ｅ変換器１０２から出力された高周波電気信号は，下り回線の帯域を増幅する増幅器１０４でもって所定レベルまで増幅されて出力されるるように構成されている。出力される下り信号は切換手段３１に接続されている。
【００２４】
上記増幅器１３と１０４の電源と，切換手段の電源は制御手段５９によって制御されて電源供給を受けている。即ち，Ｏ／Ｅ変換器１２に光信号が入力された状態にあるときは，そのＯ／Ｅ変換器から所定のレベルの信号が信号線１２ａを介して制御手段５９に入力される。この時，この信号に基づいて制御手段からは信号線１３ａを介して増幅器１３に電源供給すると共に，切換手段３１を主光受信ユニット１０からの信号が通過するように切換えるように構成されている。この時，増幅器１０４には電源供給されない。
光信号が入力されない状態にあるときは，Ｏ／Ｅ変換器１２からは信号が出されないので，制御手段によって，増幅器１３へは電源供給せず，増幅器１０４へ接続線１０４ａを介して電源供給を行うように構成されると共に，切換手段３１を副光受信機１００からの信号が通過するように切換えるのである。
【００２５】
ここで光信号が入力されない状態とは，例えば光ファイバの断線などで停波した場合が有るが，主光受信ユニットをマザーボードから取り外した状態もＯ／Ｅ変換器に光信号が入力されないと同じ状態になる。即ち，光ファイバの断線等によって主回線が停波した場合は自動的に，マザーボードに内蔵させた副受信部が動作するように構成されている。また，同様に，主光受信ユニット自体が故障した場合も，自動的に主光受信ユニットから副光受信ユニットに切換わるように構成されている。
【００２６】
こうして主光受信切換手段３１（或いは，副光受信部１００）から出力された高周波電気信号は，切換手段３１と，当該切換手段３１の出力側に接続されたＨＰＦ３２と分配器３３と，当該分配器３３の分配端子に接続された電源分離フィルター３４，３５からなる下り回線信号用の伝送経路を介して，筐体４０に配設された接続端子４５，４６から端末側へ送出される。
【００２７】
次に上り回線について説明する。この実施例では，端末側から送出された上り回線信号は切換手段を用いずに分配器３７でもって主光送信ユニット２０と副光送信部２００に接続されている例である。
上り回線信号は接続端子４５若しくは４６に入力される。この説明では接続端子４６から入力した例について説明する。
接続端子４６から入力された上り信号は，電源分離フィルター３５と，当該電源フィルター３５に接続された合成器３３と，当該記合成器３３の出力端子と上記ＨＰＦ３２との相互接続点に接続されたＬＰＦ３６と分配器３７とからなる上り回線信号用の伝送経路を介して，主光送信ユニット２０及び副光送信ユニット２００に入力される。入力された上り信号の高周波電気信号は，増幅器２２，２０２において所定レベルまで増幅された後，Ｅ／Ｏ変換器２４，２０４において光変調される。この光信号は，光端子２１，２０１を介して光ファイバ５０ｃ，５０ｄに接続されてセンター側に光信号を送出する。
尚，本願の実施例では，主光送信ユニットの増幅器２２とＯ／Ｅ変換器との間には分岐回路２３が介設されており，当該分岐回路２３の分岐出力端子２３ａから信号線２３ｂを介してステイタスモニタユニット５５に接続されて，上り回線の状態をモニタしている。
尚，上記ステイタスモニタユニット５５は，図２に示す蓋体４０−２に配設されている。
【００２８】
このように，光ケーブルを通過させ固定する固定部材４２と，同軸ケーブルにより高周波電気信号が入出力される接続端子４５，４６とを有する箱型の筐体４０と，その筐体４０内の底面に配設されたマザーボード３０とを有する，光信号と電気信号との変換が可能なノード型光送受信装置１において，
上記マザーボード３０の外表面上には，第１の下り回線信号用光受信部を金属製の第１のケースに配設した下り回線信号用光受信ユニット（主光受信ユニット）１０と，第１の上り回線信号用光送信部を金属製の第２のケースに配設した上り回線信号用送信ユニット（主光送信ユニット）２０が着脱自在に固着され，上記マザーユニット３０には，第２の下り回線信号用光受信部（副光受信部）１００と第２の上り回線信号用光送信部（副光送信ユニット）２００を内蔵させたので，筐体４０を小型に形成でき，延いてはコストダウンとなる。
【００２９】
更に，少なくとも上記主光受信ユニット１０と副光受信部１００には，主回線に接続した主光受信ユニット１０への光信号が，光ファイバの断線等によって停波したり，主光受信ユニット１０が故障したりすると，副回線に接続された副光受信部１００に自動的に切換わるように構成し，また，主光受信ユニット１０が故障し修理する場合に，当該主光受信ユニット１０を取り外しても，主回線は自動的に副回線に切換わるように構成したことによって，加入者に対するサービスが停止することがなくなるのである。
【００３０】
更に，少なくとも主光受信ユニット１０が主回線に接続されている時は，マザーボード３０に内蔵させた副光受信部１００には電源供給しないように構成したので，消費電力を低減することができる。
このように本願のように構成することで，光ケーブルの二重化に対応した小型で，低消費電力なノード型光送受信装置を提供できるのである。
【００３１】
尚，本願の実施例においては主光受信ユニット１０と主光送信ユニット２０を予め備えさせた例を示したが，この実施例に限定されるものでなく，例えば主光受信ユニット１０だけを備えさせて主光送信ユニット２０は必要な時に後付するように構成しても良く，その組み合わせは必用に応じて適宜組み合わせても良い。
【実施例２】
【００３２】
次に，本願のノード型光送受信機１を用いた双方向ＣＡＴＶシステムについて説明する。図４において２はセンター装置であり，センター装置２とノード型光送受信装置１は，光ファイバーケーブル５０を介して接続されている。４は同軸ケーブルであり，幹線分配増幅装置５，幹線分岐増幅器６，分配増幅器７，タップオフ８を夫々接続してシステムが構築されている。
【００３３】
尚，本発明は上記実施の形態に限定されるものではなく，本発明の趣旨を逸脱しない範囲で各部の構成を適宜に変更して実施することも可能である。
【産業上の利用可能性】
【００３４】
本願のノード型光送受信装置はＨＦＣ（Ｈｙｂｒｉｄ  Ｆｉｂｅｒ  ａｎｄ  Ｃｏａｘｉａｌ）システムにおいて省スペース，省エネルギーなノード型光送受信装置を提供するものであるが，ＦＴＴＨ（Ｆｉｂｅｒ  Ｔｏ  Ｔｈｅ  Ｈｏｍｅ）等の光伝送システムにおける二重化に対応したリタンダント機能を有する光伝送機器に応用できる。
【図面の簡単な説明】
【００３５】
【図１】本発明における構成を示す組立斜視図である。
【図２】本願のノード型光送受信装置の概略回路図を示す。
【図３】本願のノード型光送受信装置を用いたＣＡＴＶシステムを示す。
【符号の説明】
【００３６】
１…ノード型光送受信装置，２…センター装置，４…同軸ケーブル，５…幹線分配増幅装置，６…幹線分岐増幅器，７…分配増幅器，８…タップオフ，１０…下り回線信号用光受信ユニット（主光受信ユニット），１０ａ…第１のケース，１１…光端子，１２…光信号／電気信号（Ｏ／Ｅ）変換器，１３…分岐器，１４…増幅器，２０…上り回線信号用送信ユニット（主光送信ユニット）２０ａ…第２のケース，２１…光端子，２２…増幅器，２３…分岐器，２４…電気信号／光信号（Ｅ／Ｏ）変換器，３０…マザーボード，３０ａ…取付口，３０ｂ…取付口，３１…経路切換手段，３２…ＨＰＦ（ハイパスフィルター），３３…分配器（合成器），３４…電源分離フィルター，３５…電源分離フィルター，３６…ＬＰＦ（ローパスフィルター），３７…分配器，３８…電流通過経路切換手段，３９…電流通過経路切換手段，４０…筐体，４０−１…底面，４０−２…蓋体，４１…左側面，４２…固着部材，４３…第１のＡＣ入力端子，４４…右側面，４５…第１の接続端子，４６…第２の接続端子，４７…第２のＡＣ入力端子，４８…，４９…，５０…光ケーブル，５０ａ，５０ｂ，５０ｃ，５０ｄ…光ファイバ，５１…光ファイバ収容部，５５…ステイタスモニタユニット，５６…制御手段，６０…電源ユニット，６１…ＡＣ入力端子切換手段，６２…ＡＣ／ＤＣ変換回路，６３…ＡＣ入力端子経路切換手段，Ｃ１…主光受信ユニット側接続端子，Ｃ１´…マザーボード側接続端子，Ｃ２…主光送信ユニット側接続端子，Ｃ２´…マザーボード側接続端子，１００…第２の下り回線信号用光受信ユニット（副光受信ユニット），１０１…光端子，１０２…Ｏ／Ｅ変換器，１０４…下り回線信号用増幅器，２００…第２の上り回線信号用送信ユニット（副光送信ユニット），２０１…光端子，２０２…上り回線信号用増幅器，２０４…Ｅ／Ｏ変換器。
【図１】
2005039553.tif 000003
【図２】
2005039553.tif 000004
【図３】
2005039553.tif 000005